(57)【特許請求の範囲】
【請求項１】
ＶＨＦ帯のテレビジョン信号に同調するＶＨＦ入力同調回路と、ＵＨＦ帯のテレビジョン信号に同調するＵＨＦ入力同調回路と、を有するテレビジョンチューナにおいて、
前記ＶＨＦ入力同調回路は、オン又はオフに切り替えられるスイッチダイオードを有すると共に、オン又はオフに対応してＶＨＦ帯のハイバンドまたはローバンドに同調するバンド切替型の同調回路で構成され、前記スイッチダイオードのアノードには固定のバイアス電圧を印加すると共に、カソードにはオン又はオフするための切替電圧を印加し、
前記ＵＨＦ入力同調回路は、インダクタンス素子と、カソードに同調電圧が印加されると共に前記インダクタンス素子に高周波的に並列に接続される同調用バラクタダイオードとを備え、前記同調用バラクタダイオードのアノードを前記スイッチダイオードのアノードに直流的に接続して当該同調用バラクタダイオードのアノードに前記バイアス電圧を印加し、前記同調電圧によってＵＨＦ帯のテレビジョン信号に同調することを特徴とするテレビジョンチューナ。
【請求項２】
前記同調用バラクタダイオードはカソード同士が互いに接続された二つのバラクタダイオードからなり、前記インダクタンス素子の一端を直流カットコンデンサによって高周波的に接地し、前記同調用バラクタダイオードの一方のアノードを前記インダクタンス素子の他端に接続すると共に、前記スイッチダイオードのアノードに直流的に接続し、他方のアノードを同調周波数補正用コンデンサによって接地すると共に、抵抗によって前記インダクタンス素子と前記直流カットコンデンサとの接続点に接続したことを特徴とする請求項１記載のテレビジョンチューナ。
【発明の詳細な説明】
【０００１】
【発明の属する技術分野】
この発明は、テレビジョンチューナに関し、詳しくは、ＵＨＦ帯のテレビジョン信号に同調するＵＨＦ入力同調回路の同調周波数範囲を広げたテレビジョンチューナに関する。
【０００２】
【従来の技術】
図５は従来のテレビジョンチューナの回路図を示す。ＶＨＦ帯乃至ＵＨＦ帯のテレビジョン信号は、ＦＭ放送信号等の不要な信号を除去するトラップ回路２１を介してＶＨＦ入力同調回路２２及びＵＨＦ入力同調回路２３に入力される。
【０００３】
ＶＨＦ入力同調回路２２は、アノードが接地された同調用バラクタダイオード２２ａと、そのカソードに順次高周波的に直列に接続され、同調用バラクタダイオード２２ａに対して高周波的に並列に接続される四つのコイル、すなわち、ハイバンドコイル２２ｂ、ローバンドコイル２２ｃ、ローバンドコイル２２ｄ、ハイバンドコイル２２ｅと、二つのローバンドコイル２２ｃ、２２ｄに跨って高周波的に並列に接続されたスイッチダイオード２２ｆとを有する。ハイバンドコイル２２ｂ、２２ｅのインダクタンスはローバンドコイル２２ｃ、２２ｄのそれよりも小さい。低電位側のハイバンドコイル２２ｅは直流カットコンデンサ２２ｇによって高周波的に接地される。そして、二つのローバンドコイル２２ｃ、２２ｄの接続点にテレビジョン信号が入力され、同調用バラクタダイオード２２ａのカソードとハイバンドコイル２２ｂとの接続点がＶＨＦ入力同調回路２２の出力端となる。
【０００４】
また、ハイバンドコイル２２ｅと直流カットコンデンサ２２ｇとの接続点は抵抗２２ｈによって接地され、且つ、抵抗２２ｉによって電源端子Ｂに接続される。電源端子Ｂには５ボルトの電源電圧が印加される。そして、抵抗２２ｈと２２ｉとによって分圧されたバイアス電圧がハイバンドコイル２２ｅ、ローバンドコイル２２ｄ、２２ｃを介してスイッチダイオード２２ｆのアノードに印加される。さらに、スイッチダイオード２２ｆのカソードはバンド切替端子Ｓｗに接続される。バンド切替端子にはハイレベル（５ボルト）又はローレベル（０ボルト）の切替電圧が印加される。また、同調用バラクタダイオード２２ａのカソードはハイバンドコイル２２ｂを介して同調電圧端子Ｔｕに接続される。同調電圧端子Ｔｕには同調電圧が印加される。
【０００５】
ＶＨＦ入力同調回路２２の次段にはＦＥＴ（電界効果トランジスタ）で構成されるＶＨＦ高周波増幅器２４が設けられ、ＶＨＦ入力同調回路２２とＶＨＦ高周波増幅器２４とは結合用バラクタダイオード２５によって結合される。結合用バラクタダイオード２５は同調用バラクタダイオード２２ａの特性と同じ特性を有し、そのカソードは同調用バラクタダイオード２２ａのカソードに接続され、アノードは抵抗２６によって接地されると共に、直流カットコンデンサ２７によってＶＨＦ高周波増幅器２４の入力端に結合される。
【０００６】
また、二つのローバンドコイル２２ｃ、２２ｄの接続点と結合用バラクタダイオード２５のアノードとの間にはコンデンサ２８が接続され、さらに、ハイバンドコイル２２ｂとローバンドコイル２２ｃとの間の接続点と結合用バラクタダイオード２５のアノードとの間にコンデンサ２９が接続される。
ＶＨＦ高周波増幅器２４の次段にはＶＨＦ段間同調回路３０が設けられ、さらに、その後段にはＶＨＦ混合器（図示せず）等が設けられる。ＶＨＦ段間同調回路３０以降の構成についての説明は省略する。
【０００７】
ＵＨＦ入力同調回路２３は、一端が接地されたコイル２３ａと、カソード同士が互いに接続された同特性の二つの同調用バラクタダイオード２３ｂ、２３ｃとを有し、一方の同調用バラクタダイオード２３ｂのアノードがコイル２３ａの他端に接続され、他方の同調用バラクタダイオード２３ｃのアノードが直流カットコンデンサ２３ｄと抵抗２３ｅによって接地される。そして、コイル２３ａと同調用バラクタダイオード２３ｂのアノードとの接続点が直流カットコンデンサ３１を介してトラップ回路２１に接続される。また、二つの同調用バラクタダイオード２３ｂ、２３ｃのカソードが同調端子Ｔｕに接続されると共に、直流カットコンデンサ３２によってＵＨＦ高周波増幅器３３に接続される。ＵＨＦ高周波増幅器３３にもＦＥＴが使用される。
【０００８】
ＵＨＦ高周波増幅器３３の次段にはＵＨＦ段間同調回路３４が設けられ、さらに、その後段にはＵＨＦ混合器（図示せず）等が設けられる。ＵＨＦ段間同調回路３４以降の構成についての説明は省略する。
【０００９】
以上の構成において、ＶＨＦ帯のテレビジョン信号を受信する場合には、ＶＨＦ高周波増幅器２４が動作状態、ＵＨＦ高周波増幅器３３は非動作状態となり、ＵＨＦ帯のテレビジョン信号を受信する場合には、ＵＨＦ高周波増幅器３３が動作状態、ＶＨＦ高周波増幅器２４は非動作状態となるように切り替えられる。
【００１０】
先ず、ＶＨＦ帯のハイバンドのテレビジョン信号を受信する場合は、バンド切替端子Ｓｗをローレベルの電圧にする。すると、スイッチダイオード２２ｆがオンとなって、ＶＨＦ入力同調回路２２は図６に示す等価回路となる。ここで、図６におけるコイル２２ｊは図５における二つのローバンドコイル２２ｃ、２２ｄが並列接続されたものを示す。
【００１１】
そして、同調周波数は、主に二つのハイバンドコイル２２ｂ、２２ｅと同調用バラクタダイオード２２ａによって決まり、同調用バラクタダイオード２２ａのカソードにほぼ２．５ボルトから２５ボルトまでの同調電圧が印加され、それに従ってハイバンド内で同調周波数が変化する。同調電圧が２．５ボルトの時の同調用バラクタダイオード２２ａの容量値はおよそ１４．５ｐＦ（ピコファラッド）となり、ハイバンドの最低周波数に同調する。また、同調電圧が２５ボルトになると容量値は２乃至３ｐＦとなる。
【００１２】
また、図６から明らかなように、コンデンサ２８と、コイル２２ｊと、ハイバンドコイル２２ｂと、結合用バラクタダイオード２５とによって直並列共振回路が構成されるが、この直並列共振回路はハイバンドを受信する場合のイメージ周波数を減衰するトラップ回路として機能する。
同様に、コンデンサ２９と、ハイバンドコイル２２ｂと、結合用バラクタダイオード２５とによって直並列共振回路が構成されるが、この直並列共振回路はＵＨＦ帯の高域側を減衰するトラップ回路として機能する。
いずれも受信妨害の対策としている。
【００１３】
一方、ＶＨＦ帯のローバンドのテレビジョン信号を受信する場合は、バンド切替端子Ｓｗをハイレベルの電圧にする。すると、スイッチダイオード２２ｆがオフとなって、ＶＨＦ入力同調回路２２は図７に示す等価回路となり、同調周波数は、主に二つのハイバンドコイル２２ｂ、２２ｅと二つのローバンドコイル２２ｃ、２２ｄと同調用バラクタダイオードによって決まる。
この場合も、ＶＨＦ入力同調回路２２は同調用バラクタダイオード２２ａのカソードに印加されるほぼ２．５ボルトから２５ボルトまでの同調電圧に従ってローバンド内で同調周波数が変化する。そして、同調電圧が２．５ボルトの時にはローバンドの最低周波数に同調する。
【００１４】
また、ＵＨＦ入力同調回路２３の同調用バラクタダイオード２３ｂ、２３ｃのカソードにも２．５ボルトから２５ボルトの同調電圧が印加されるので、その容量値は１４．５ｐＦから２乃至３ｐＦまで変化し、ＵＨＦ帯の最低周波数チャンネルから最高周波数チャンネルに同調するが、同時に、前段のトラップ回路２１と次段のＵＨＦ高周波増幅器３３との結合量も周波数に応じて変えている。
【００１５】
【発明が解決しようとする課題】
ＵＨＦ入力同調回路における同調用バラクタダイオードの容量値変化比は約５であり、これは、ＵＨＦ帯のテレビジョン信号の周波数範囲（３６０ＭＨｚから８００ＭＨｚ）で同調する為にはぎりぎりの数値である。しかし、浮遊容量の影響等を加味すれば５倍の変化比では同調周波数範囲が制限され、実際には１０倍程度の変化比が要求される。しかし、変化比の大きなバラクタダイオードはコスト高となる。
【００１６】
そこで、本発明においては、高価で特殊なバラクタダイオードを使用することなく、ＵＨＦ入力同調回路の同調周波数範囲を広くすることを目的とする。
【００１７】
【課題を解決するための手段】
上記の課題を解決する手段として、本発明では、ＶＨＦ帯のテレビジョン信号に同調するＶＨＦ入力同調回路と、ＵＨＦ帯のテレビジョン信号に同調するＵＨＦ入力同調回路と、を有するテレビジョンチューナにおいて、前記ＶＨＦ入力同調回路は、オン又はオフに切り替えられるスイッチダイオードを有すると共に、オン又はオフに対応してＶＨＦ帯のハイバンドまたはローバンドに同調するバンド切替型の同調回路で構成され、前記スイッチダイオードのアノードには固定のバイアス電圧を印加すると共に、カソードにはオン又はオフするための切替電圧を印加し、前記ＵＨＦ入力同調回路は、インダクタンス素子と、カソードに同調電圧が印加されると共に前記インダクタンス素子に高周波的に並列に接続される同調用バラクタダイオードとを備え、前記同調用バラクタダイオードのアノードを前記スイッチダイオードのアノードに直流的に接続して当該同調用バラクタダイオードのアノードに前記バイアス電圧を印加し、前記同調電圧によってＵＨＦ帯のテレビジョン信号に同調した。
【００１９】
また、前記同調用バラクタダイオードはカソード同士が互いに接続された二つのバラクタダイオードからなり、前記インダクタンス素子の一端を直流カットコンデンサによって高周波的に接地し、前記同調用バラクタダイオードの一方のアノードを前記インダクタンス素子の他端に接続すると共に、前記スイッチダイオードのアノードに直流的に接続し、他方のアノードを同調周波数補正用コンデンサによって接地すると共に、抵抗によって前記インダクタンス素子と前記直流カットコンデンサとの接続点に接続した。
【００２０】
【発明の実施の形態】
以下、図面に従って本発明を説明する。図１において、ＶＨＦ帯乃至ＵＨＦ帯のテレビジョン信号は、ＦＭ放送信号等の不要な信号を除去するトラップ回路１を介してＶＨＦ入力同調回路２及びＵＨＦ入力同調回路３に入力される。
【００２１】
ＶＨＦ入力同調回路２は、アノードが接地された同調用バラクタダイオード２ａと、そのカソードに順次高周波的に直列に接続され、同調用バラクタダイオード２ａに対して高周波的に並列接続されるハイバンドコイル２ｂ、ローバンドコイル２ｃ、ローバンドコイル２ｄ、ハイバンドコイル２ｅと、二つのローバンドコイル２ｃ、２ｄに跨って高周波的に並列に接続されたスイッチダイオード２ｆとを有する。ハイバンドコイル２ｂ、２ｅのインダクタンスはローバンドコイル２ｃ、２ｄのそれよりも小さい。低電位側のハイバンドコイル２ｅは直流カットコンデンサ２ｇによって高周波的に接地される。そして、二つのローバンドコイル２ｃ、２ｄの接続点にテレビジョン信号が入力され、同調用バラクタダイオード２ａのカソードとハイバンドコイル２ｂとの接続点がＶＨＦ入力同調回路２の出力端となる。
【００２２】
また、ハイバンドコイル２ｅと直流カットコンデンサ２ｇとの接続点は抵抗２ｈによって接地され、且つ、抵抗２ｉによって電源端子Ｂに接続される。電源端子Ｂには５ボルトの電源電圧が印加される。従って、抵抗２ｈと２ｉとによって分圧された２ボルト弱のバイアス電圧がハイバンドコイル２２ｅ、ローバンドコイル２２ｄ、２２ｃを介してスイッチダイオード２ｆのアノードに印加される。さらに、スイッチダイオード２ｆのカソードはバンド切替端子Ｓｗに接続される。バンド切替端子Ｓｗにはハイレベル（５ボルト）又はローレベル（０ボルト）の切替電圧が印加される。同調用バラクタダイオード２ａのカソードはハイバンドコイル２ｂを介して同調電圧端子Ｔｕに接続される。同調電圧端子Ｔｕには同調電圧が印加される。
【００２３】
ＶＨＦ入力同調回路２の次段にはＦＥＴ（電界効果トランジスタ）で構成されるＶＨＦ高周波増幅器４が設けられ、ＶＨＦ入力同調回路２とＶＨＦ高周波増幅器４とは結合用バラクタダイオード５によって結合される。結合用バラクタダイオード５は同調用バラクタダイオード２ａの特性と同じ特性を有する。そのカソードは同調用バラクタダイオード２２ａのカソードに接続され、アノードは抵抗６によって二つのローバンドコイル２ｃ、２ｄの接続点に接続されると共に、直流カットコンデンサ７によってＶＨＦ高周波増幅器４に結合される。従って、結合用バラクタダイオード５のアノードにも前述のバイアス電圧が印加される。
【００２４】
また、二つのローバンドコイル２ｃ、２ｄの接続点と結合用バラクタダイオード５のアノードとの間にはコンデンサ８が接続され、スイッチダイオード２ｆのカソードと結合用バラクタダイオード５のアノードとの間にコンデンサ９が接続される。
ＶＨＦ高周波増幅器４の次段にはＶＨＦ段間同調回路１０が設けられ、さらに、その後段にはＶＨＦ混合器（図示せず）等が設けられる。ＶＨＦ段間同調回路１０以降の構成についての説明は省略する。
【００２５】
ＵＨＦ入力同調回路３は、一端が直流カットコンデンサ３ｆによって接地されたコイル３ａと、カソード同士が互いに接続された同特性の二つの同調用バラクタダイオード３ｂ、３ｃとを有し、一方の同調用バラクタダイオード３ｂのアノードがコイル３ａの他端に接続され、この接続点がＶＨＦ入力同調回路２における二つのローバンドコイル２ｃ、２ｄの接続点に接続される。また、他方の同調用バラクタダイオード３ｃのアノードが同調周波数補正用コンデンサ３ｄと抵抗３ｅによってコイル３ａと直流カットコンデンサ３ｆとの接続点に接続される。従って、二つの同調用バラクタダイオード３ｂ、３ｃのアノードにもＶＨＦ入力同調回路２からバイアス電圧が印加される。
【００２６】
そして、二つの同調用バラクタダイオード３ｂ、３ｃのカソードが同調端子Ｔｕに接続されると共に、直流カットコンデンサ１１によってＵＨＦ高周波増幅器１２に接続される。ＵＨＦ高周波増幅器１２にもＦＥＴが使用される。
ＵＨＦ高周波増幅器１２の次段にはＵＨＦ段間同調回路１３が設けられ、さらに、その後段にはＵＨＦ混合器（図示せず）等が設けられる。ＵＨＦ段間同調回路１３以降の構成についての説明は省略する。
【００２７】
以上の構成において、ＶＨＦ帯のテレビジョン信号を受信する場合には、ＶＨＦ高周波増幅器４が動作状態、ＵＨＦ高周波増幅器１２が非動作状態となり、ＵＨＦ帯のテレビジョン信号を受信する場合には、ＵＨＦ高周波増幅器１２が動作状態、ＶＨＦ高周波増幅器４が非動作状態となりように切り替えられる。
【００２８】
先ず、ＶＨＦ帯のハイバンドのテレビジョン信号を受信する場合は、バンド切替端子Ｓｗをローレベルの電圧にする。すると、スイッチダイオード２ｆがオンとなって、ＶＨＦ入力同調回路２は図２に示す等価回路となる。ここで、図２におけるコイル２ｊは図１における二つのローバンドコイル２ｃ、２ｄが並列接続されたものを示す。また、同調用バラクタダイオード２ａのアノードは接地されて０ボルトであるが、結合用バラクタダイオード５のアノードには抵抗２ｈと２ｉとによって分圧されたバイアス電圧Ｖが印加される。
【００２９】
そして、同調周波数は、主に二つのハイバンドコイル２ｂ、２ｅと同調用バラクタダイオード２ａによって決まるが、同調用バラクタダイオード２ａのカソードに印加されるほぼ２．５ボルトから２５ボルトまでの同調電圧に従ってハイバンド内で同調周波数が変化する。同調電圧が２．５ボルトの時の同調用バラクタダイオード２ａの容量値はおよそ１４．５ｐＦ（ピコファラッド）となり、ハイバンドの最低周波数に同調する。
【００３０】
しかし、結合用バラクタダイオード５のアノードにはほぼ２ボルトのバイアス電圧Ｖが印加されているため、同調電圧が２．５ボルトの時には結合用バラクタダイオード５のアノード・カソード間の電圧はおよそ０．５ボルトとなって、そのときの容量値は２倍以上の３１．５ｐＦとなり、同調電圧が２５ボルトでは従来とほぼ同じ２乃至３ｐＦとなる。このため、高域での結合がほとんど変化しないのに対して、低域での結合が一層大きくなり、ＶＨＦ入力同調回路２とＶＨＦ高周波増幅器４との間の結合は高い周波数では一層密となる。
【００３１】
また、図２から明らかなように、コンデンサ８と、コイル２ｊと、ハイバンドコイル２ｂと、結合用バラクタダイオード５とによって直並列共振回路が構成されるが、この直並列共振回路は、従来の構成と同様に、ハイバンドを受信する場合のイメージ周波数帯をその並列共振周波数で減衰するトラップ回路として機能する。
さらに、コンデンサ９と、ハイバンドコイル２ｂと、結合用バラクタダイオード５とによって別の直並列共振回路が構成されるが、この直並列共振回路はＵＨＦ帯の高域側をその並列共振周波数で減衰するトラップ回路として機能する。
【００３２】
一方、ＶＨＦ帯のローバンドのテレビジョン信号を受信する場合は、バンド切替端子Ｓｗをハイレベルの電圧にする。すると、スイッチダイオード２ｆがオフとなって、ＶＨＦ入力同調回路２は図３に示す等価回路となり、コンデンサ９はローバンドコイル２ｄとハイバンドコイル２ｅとの接続点と結合用バラクタダイオード５のアノードとの間に接続される。しかし、ローバンドにおいてはハイバンドコイル２ｅのインダクタンスが無視出来るので、結合用バラクタダイオード５のアノードはコンデンサ９によってシャントされる形となり、イメージ周波数帯を減衰する並列共振周波数とＶＨＦ入力同調回路２の同調周波数とのトラッキング特性（同じ周波数差で変化すること）を改善する。
【００３３】
そして、同調周波数は、主に二つのハイバンドコイル２ｂ、２ｅと二つのローバンドコイル２ｃ、２ｄと同調用バラクタダイオード２ａによって決まり、同調用バラクタダイオード２ａのカソードに印加するほぼ２．５ボルトから２５ボルトまでの同調電圧に従ってローバンド内で同調周波数が変化する。また、同調電圧が２．５ボルトの時の同調用バラクタダイオード２ａの容量値はおよそ１４．５ｐＦとなり、ローバンドの最低周波数に同調する。同様に、結合用バラクタダイオード５の容量値は３１．５ｐＦとなり、低い周波数での結合が密となる。
【００３４】
また、ＵＨＦ入力同調回路３は図４で示される等価回路のように、二つの同調用バラクタダイオード３ｂ、３ｃのアノードにもバイアス電圧Ｖが印加されるので、容量値は同調電圧が２．５ボルトで３１．５ｐＦ、２５ボルトで３ｐＦ程度となるので容量値の変化比が約１０倍となって、同調周波数の範囲が広がる。
また、同調周波数補正用コンデンサの容量値設定によって同調周波数を変えても局部発振周波数との差が一定となるような良好なトラッキングが得られる。
【００３５】
【発明の効果】
以上説明したように、本発明のテレビジョンチューナは、インダクタンス素子と、カソードに同調電圧が印加されると共にインダクタンス素子に高周波的に並列に接続される同調用バラクタダイオードとからなるＵＨＦ入力同調回路を備え、同調用バラクタダイオードのアノードに所定のバイアス電圧を印加し、同調電圧によってＵＨＦ入力同調回路をＵＨＦ帯のテレビジョン信号に同調したので、容量値の変化比が大きくなって、同調周波数の範囲が広がる。
【００３６】
また、ＶＨＦ帯のテレビジョンに同調するＶＨＦ入力同調回路を有し、ＶＨＦ入力同調回路はオン又はオフに切り替えられるスイッチダイオードを有すると共に、オン又はオフに対応してＶＨＦ帯のハイバンドまたはローバンドに同調するバンド切替型の同調回路で構成され、スイッチダイオードのアノードには固定のバイアス電圧を印加すると共に、カソードにはオン又はオフするための切替電圧を印加し、同調用バラクタダイオードのアノードをスイッチダイオードのアノードに直流的に接続したので、同調用バラクタダイオードのアノードには簡単にバイアス電圧を印加できる。
【００３７】
また、同調用バラクタダイオードはカソード同士が互いに接続された二つのバラクタダイオードからなり、インダクタンス素子の一端を直流カットコンデンサによって高周波的に接地し、同調用バラクタダイオードの一方のアノードをインダクタンス素子の他端に接続すると共に、スイッチダイオードのアノードに直流的に接続し、他方のアノードを同調周波数補正用コンデンサによって接地すると共に、抵抗によって前記インダクタンス素子と直流カットコンデンサとの接続点に接続したので、同調周波数補正用コンデンサの容量値設定によって同調周波数を変えても局部発振周波数との差が一定となるような良好なトラッキングが得られる。
【図面の簡単な説明】
【図１】本発明のテレビジョンチューナの構成を示す回路図である。
【図２】本発明のテレビジョンチューナにおけるハイバンド受信時のＶＨＦ入力同調回路の構成を示す等価回路図である。
【図３】本発明のテレビジョンチューナにおけるローバンド受信時のＶＨＦ入力同調回路の構成を示す等価回路図である。
【図４】本発明のテレビジョンチューナにおけるＵＨＦ入力同調回路の構成を示す等価回路図である。
【図５】従来のテレビジョンチューナの構成を示す回路図である。
【図６】従来のテレビジョンチューナにおけるハイバンド受信時のＶＨＦ入力同調回路の構成を示す等価回路図である。
【図７】従来のテレビジョンチューナにおけるローバンド受信時のＶＨＦ入力同調回路の構成を示す等価回路図である。
【符号の説明】
１  トラップ回路
２  ＶＨＦ入力同調回路
２ａ  同調用バラクタダイオード
２ｂ、２ｅ  ハイバンドコイル
２ｃ、２ｄ  ローバンドコイル
２ｆ  スイッチダイオード
２ｇ  直流カットコンデンサ
２ｈ、２ｉ  抵抗
３  ＵＨＦ入力同調回路
３ａ  コイル
３ｂ、３ｃ  同調用バラクタダイオード
４  ＶＨＦ高周波増幅器
５  結合用バラクタダイオード
６  抵抗
７  直流カットコンデンサ
８、９  コンデンサ
１０  ＶＨＦ段間同調回路
１１  直流カットコンデンサ
１２  ＵＨＦ高周波増幅器
１３  ＵＨＦ段間同調回路
【図１】
0003979519.tif 000002
【図２】
0003979519.tif 000003
【図３】
0003979519.tif 000004
【図４】
0003979519.tif 000005
【図５】
0003979519.tif 000006
【図６】
0003979519.tif 000007
【図７】
0003979519.tif 000008